(57)【要約】【課題】  従来よりも軽量で持ち運びしやすい防護ネットの提供の提供。【解決手段】折曲部２，３において折曲された「へ」の字形の左右１対の支柱４，５の間に、横架杆６〜９を横架したはしご形をなす支持枠１３に対して、ネット１４を張架してなる防護ネット。上記支柱４，５の上記起立脚部４’，５’の下端、および、上記伸縮杆１１，１２の先端は先鋭に形成されている。【選択図】  図１
0003133043.tif 000002
【実用新案登録請求の範囲】
【請求項１】
はしご形をなす支持枠（１３）にネット（１４）を張架してなることを特徴とする防護ネット。
【請求項２】
上記支持枠（１３）が、左右１対の支柱（４，５）の間に、横架杆（６〜９）を横架してなることを特徴とする請求項１記載の防護ネット。
【請求項３】
上記支柱（４，５）を、起立脚部（４’，５’）と、これと折曲部（２，３）を介して連続する頭部（４”，５”）とにより「へ」の字形をなすものとし、支持枠（１３）の側面形状を「へ」の字形としたことを特徴とする請求項２記載の防護ネット。
【請求項４】
上記各支柱（４，５）の上記頭部（４”，５”）に、伸縮杆（１１，１２）を、その突出長さを個別に設定し固定できるよう嵌挿してなることを特徴とする請求項３記載の防護ネット。
【請求項５】
上記支柱（４，５）の上記起立脚部（４’，５’）の下端、および、上記伸縮杆（１１，１２）の先端が先鋭に形成されていることを特徴とする請求項４記載の防護ネット。
【請求項６】
上記ネット（１４）が上記支持枠（１３）に対し、その支持枠の側縁部において止着されていることを特徴とする請求項１，２，３，４または５記載の防護ネット。
【請求項７】
上記ネット（１４）の止着が縫合により行われていることを特徴とする請求項６記載の防護ネット。
【請求項８】
上記ネット（１４）の止着が支持枠（１３）に固定された受け枠（１６）とこれに嵌合するネット押さえ枠（１７）との間に上記ネット（１４）を挟んで行われていることを特徴とする請求項６記載の防護ネット。
【請求項９】
両端を上記支柱（４，５）の上記頭部（４”，５”）と上記起立脚部（４’，５’）とに固定することにより、上記折曲部（２，３）を跨架して配設された折曲部補強杆（１９，２０）を備えたことを特徴とする請求項３，４，５，６，７または８記載の防護ネット。
【請求項１０】
両端を上記横架杆（９）と上記起立脚部（４’，５’）とに固定した脚部補強杆（２１，２２）を備えたことを特徴とする請求項２，３，４，５，６，７，８または９記載の防護ネット。
【請求項１１】
上記ネット（１４）が高密度ポリエチレン製であることを特徴とする請求項１，２，３，４，５，６，７，８，９または１０記載の防護ネット。
【考案の詳細な説明】
【技術分野】
【０００１】
本考案は、トンネル工事等において使用される防護ネットに関し、特に、作業員が切羽に接近して行う作業での切羽崩落事故等から作業員を保護するための防護ネット関する。
【背景技術】
【０００２】
トンネル掘削工事において、作業員が切羽に接近して行う必要のある作業としては、爆薬の装薬、支保工設置、補助工法における薬液注入作業等がある。
このような作業は、全体の作業時間のうち３０〜５０％程度の時間を占めるだけであるにもかかわらず、トンネル工事での全事故に占める切羽崩落事故の割合は非常に高くなっている。
【０００３】
切羽崩落事故は、主として、切羽面（ほぼ鉛直からきつい傾斜面）の崩落と掘削支払面（天井面）からの崩落とに分けられるが、不安定な切羽面には、吹付コンクリートや補強ボルトなどの対策が施工されている場合が多いことや、重力作用の要因からすると、掘削支払面の崩落による事故が、切羽面の崩落による事故よりも多発していると思われる。
【０００４】
特に、支保工設置に関わる作業は、作業員が足下を注視して行うものであり、掘削支払面からの落下物に注意を払いにくい。
したがって、掘削支払面からの崩落（岩石の抜け落ちや土砂剥落）から、作業員を効果的に防護するための対策が重要である。
現況では、切羽監視員を配置することや、作業員にプロテクターを着用させること等により対策を講じているが、事故は突発的に発生するものであるし、プロテクターを着用しながらも負傷した事例もあるので、そのような対策では不十分である。
【０００５】
落下物からの作業員を保護するための作業員保護板としては、特許文献１に記載されたものが既に公知である。
この作業員保護板は、断面波形のＦＲＰ製板体を隆起湾曲させてなるもので、作業員は、トンネル壁面にこの作業員保護板を立て掛け、その下方に形成される作業空間にて安全に作業を行うことができる。
【０００６】
【特許文献１】特公昭５２−５９２２
【考案の開示】
【考案が解決しようとする課題】
【０００７】
しかし、上記作業員保護板は、その持ち運びをし易くするためにできる限り軽量化を図ることが好ましい。
【０００８】
そこで、本考案は、崩落物から作業員を防護できる十分な強度をもちつつ、従来よりも軽量で持ち運びしやすい防護ネットの提供を課題とする。
【課題を解決するための手段】
【０００９】
請求項１記載の本考案は、はしご形をなす支持枠１３にネット１４を張架してなる防護ネットである。
【００１０】
請求項２記載の本考案は、上記支持枠１３が、左右１対の支柱４，５の間に、横架杆６〜９を横架してなる請求項１記載の防護ネットである。
【００１１】
請求項３記載の本考案は、上記支柱４，５を、起立脚部４’，５’と、これと折曲部２，３を介して連続する頭部４”，５”とにより「へ」の字形をなすものとし、支持枠１３の側面形状を「へ」の字形とした請求項２記載の防護ネットである。
【００１２】
請求項４記載の本考案は、上記各支柱４，５の上記頭部４”，５”に伸縮杆１１，１２を、その突出長さを個別に設定し固定できるよう嵌挿してなる請求項３記載の防護ネットである。
【００１３】
請求項５記載の本考案は、上記支柱４，５の上記起立脚部４’，５’の下端、および、上記伸縮杆１１，１２の先端が先鋭に形成されている請求項４記載の防護ネットである。
【００１４】
請求項６記載の本考案は、上記ネット１４が上記支持枠１３に対し、その支持枠の側縁部において止着されている請求項１，２，３，４または５記載の防護ネットである。
【００１５】
請求項７記載の本考案は、上記ネット１４の止着が縫合により行われている請求項６記載の防護ネットである。
【００１６】
請求項８記載の本考案は、上記ネット１４の止着が支持枠１３に固定された受け枠１６とこれに嵌合するネット押さえ枠１７との間に上記ネット１４を挟んで行われている請求項６記載の防護ネットである。
【００１７】
請求項９記載の本考案は、両端を上記支柱４，５の頭部４”，５”と起立脚部４’，５’とに固定することにより、上記折曲部２，３を跨架して配設された折曲部補強杆１９，２０を備えた請求項３，４，５，６，７または８記載の防護ネットである。
【００１８】
請求項１０記載の本考案は、両端を上記横架杆９と起立脚部４’，５’とに固定した脚部補強杆２１，２２を備えた請求項２，３，４，５，６，７，８または９記載の防護ネットである。
【００１９】
請求項１１記載の本考案は、上記ネット１４が高密度ポリエチレン製である請求項１，２，３，４，５，６，７，８，９または１０記載の防護ネットである。
【考案の効果】
【００２０】
本考案防護ネットは、崩落物から作業員を防護できる十分な強度をもちつつ、従来よりも軽量で持ち運びしやすいもので、これにより事故の根絶を図ることができる。
【考案を実施するための最良の形態】
【００２１】
以下、本考案を実施例により説明するが、本考案はこれに限られない。
【実施例】
【００２２】
本考案防護ネット１は、長さ２．７ｍ、径２０ｍｍの鋼製パイプをその途中の折曲部２，３において折曲した「へ」の字形をなす左右１対の支柱４，５の間に、径２０ｍｍの鋼製パイプ製の４本の横架杆６〜９を間隔をおいて横架し溶接固定した枠本体１０の、上記支柱４，５の先端の開口に伸縮杆１１，１２を挿嵌した、側面形状を「へ」の字形としたはしご形をなす支持枠１３と、この支持枠１３の外面に張架された１０ｍｍ目の高密度ポリエチレン製ネット１４とから構成されるものである。
この防護ネット１の全幅ａは約０．８ｍ、全高ｂは約２ｍで、上記横架杆６〜９の間隔ｃは約０．６ｍである。
上記枠本体１０の支柱４，５は、上記折曲部２，３において約３０°〜４５°程度折曲されており、折曲部２，３から下端側の部分（起立脚部）４’，５’（約２．１ｍ）と、これに折曲部２，３を介して連続する先端側の部分（頭部）４”，５”（約６０ｃｍ）とにより「へ」の字形をなしているものである。
なお、支柱４，５および横架杆６〜９の径を変更することや、上記横架杆６〜９の本数を適宜増減することができる。
【００２３】
上記伸縮杆１１，１２は、支柱４，５の頭部４”，５”の側面に５０ｍｍ間隔で列設開口した複数のピン孔１５のうち任意のものにピン１５’を挿通することによって、該支柱４，５の頭部４”，５”の先端からの突出長さを３０ｃｍ程度までの範囲で個別に設定して固定することができるようになっている（図３）。
したがって、両伸縮杆１１，１２の突出長さは、同一に設定することも、また、違えて設定すること（図１，２）も可能になっている。
上記伸縮杆１１，１２の先端および支柱４，５の下端は先鋭に形成されている。
【００２４】
上記ネット１４は、支持枠１３の最も上側の横架杆６から最も下側の横架杆９までの範囲をカバーするよう、該支持枠１３の外面から被覆され、その左右両縁を支持枠１３の側縁部において支柱４，５に巻回して縫合するとともに、上下両縁を上記横架杆６および９巻回して縫合することにより止着されている（図４）。なお、ネット１４の縁部は溶着や結束により止着してもよい（図示していない）。
また、図５に示すように支持枠１３側にネット１４を止着するための受け枠１６を固定しておき、これに嵌合するネット押さえ枠１７の係合片１８を、上記ネット１４を挟んで上記受け枠１６に嵌合させることにより止着することも可能である。
【００２５】
このネット１４は高密度ポリエチレン製であるので、衝撃荷重に強く、比較的安価で、また、張り替えが簡単である。
【００２６】
１９は、その両端を上記支柱４の頭部４”，５”と起立脚部４’，５’とに溶接固定することにより上記折曲部２を跨架して配設され、その折曲部２を補強し、該支柱４が撓まないよう補強する折曲部補強杆、２０は、その両端を上記支柱５の頭部４”，５”と起立脚部４’，５’とに溶接固定することにより上記折曲部３を跨架して配設され、その折曲部３を補強し、該支柱４が撓まないよう補強する折曲部補強杆である。
２１，２２は、その両端を、最も下側の上記横架杆９の中央と支柱４，５の起立脚部４’，５’とに溶接固定した脚部補強杆である。
【００２７】
上記のようにしてなる防護ネット１は、その支柱４，５の起立脚部４’，５’の下端を、所要の場所に接地させ、支柱４，５の頭部４”，５”の先端の伸縮杆１１，１２を壁面等に接するよう立て掛けて設置することで、その内側に、土砂や岩石等の崩落物より作業員を防護し、かつ、その中で所要の作業を行うことができる作業スペース２３を形成することができる。
【００２８】
その設置は、先鋭になっている上記脚部の先端、および、上記伸縮杆１１，１２の先端を、地面および壁面に突き刺して安定性を確保し、崩落物の荷重により設置位置がずれたり、倒れたりしないように行う。
また、壁面に凹凸がある場合、あるいは、設置箇所の壁面の一側のみが吹付けコンクリート面で壁面に段差が生じているような場合、両伸縮杆１１，１２をそれぞれ長さ調整したうえで設置する。
【００２９】
上記の作業スペース２３は、作業員が立ち作業可能な高さ（２ｍ程度）と、スコップを水平に構えるのに支障をきたさない奥行き（１．５ｍ程度）が確保され、また、１人の作業員を防護できる幅（０．８ｍ）を有するので、この中で、スコップによる床均し作業、皿板の敷設、鋼製支保工の設置と固定等の作業を安全に行えるようになっている。
【００３０】
また、上記従来の作業員保護板は、その作業空間内で作業する作業員にとって上方の切羽の状態を視認しづらいという問題があったが、本考案防護ネットによれば、その作業スペース２３で作業する者は、ネット１４を通じて上方の壁面や切羽の状態を目視確認することもできるので作業を安全に行える。
【００３１】
想定される崩落物は、土砂トンネルでは土塊や土砂、岩山トンネルでは岩塊であるが、支保工設置作業前に不安定な状況を取り去るコソク作業を行うことや、過去の事故例、また、支保工設置箇所の位置等から判断すると、その重量は、土砂であれば１０〜２００ｋｇ程度、岩塊であれば１００〜２００ｋｇ程度であると考えられる。
したがって、この防護ネット１の強度は、２００ｋｇの土砂や岩石が１ｍ（トンネル内の作業において想定される、防護ネット１とその直上の掘削支払面との距離）自由落下した場合に、仮に防護ネット１が損傷しても作業員を負傷させない程度に設定している。その強度は、支柱４，５の径、あるいは、横架杆の径や本数を変更することで調整できる。
また、この防護ネット１は、はしご形の支持枠１３とネット１４とからなり、鋼板等を使用していないので、重量は３０ｋｇに満たず、作業員１人で簡単に移動や設置ができるものである。
【００３２】
以下、本考案防護ネット１を使用したトンネル工事における作業の手順の１例を示す。
【００３３】
（１）トンネル３１の掘削、ズリ出し、コソク作業完了後、切羽点検員が、切羽３２の状況を点検し職長に報告する。
（２）切羽３２の安定を確認後、切羽点検員と切羽監視員のダブルチェックによる監視の下、支保工設置箇所の床均しを行う箇所に、上記安全防護ネット１を設置する（図６左半部および図７）。
（３）作業員は、設置した防護ネット１内で、位置や高さの確認、床均し等の作業を行う。
（４）作業終了後、防護ネットを撤収する（同図右半部）。
（５）ジャンボで鋼製支保工を所定位置に設置する。その際、支保工設置箇所に再度、防護ネット１を設置し、その中で作業員による必要な作業を行う。
【図面の簡単な説明】
【００３４】
【図１】本考案の実施例に係る防護ネットの斜視図である。
【図２】上記防護ネットの正面図である。
【図３】上記防護ネットの支持枠の伸縮杆を示す部分拡大図である。
【図４】上記支持枠の側縁部におけるネットの止着状態を示す部分拡大図である。
【図５】ネットの他の止着方法を示す部分拡大図である。
【図６】上記防護ネットを使用して作業を行っている状況を示すトンネルの横断面図である。
【図７】同上の縦断面図である。
【符号の説明】
【００３５】
１ 防護ネット
２，３ 折曲部
４，５ 支柱
４’，５’ 起立脚部
４”，５” 頭部
６〜９ 横架杆
１０ 枠本体
１１，１２ 伸縮杆
１３ 支持枠
１４ ネット
１５ ピン孔
１５’ ピン
１６ 受け枠
１７ ネット押さえ枠
１８ 係合片
１９，２０ 折曲部補強杆
２１，２２ 脚部補強杆
２３ 作業スペース
【図１】
0003133043.tif 000003
【図２】
0003133043.tif 000004
【図３】
0003133043.tif 000005
【図４】
0003133043.tif 000006
【図５】
0003133043.tif 000007
【図６】
0003133043.tif 000008
【図７】
0003133043.tif 000009